(57)【要約】【課題】  ディスクメディアをケースから取出したことがあるか否か判断できるディスクカートリッジを得る。【解決手段】  下シェル２８に検出孔９２を貫通させ、この検出孔９２内には中央部に柱状部１００が立設したカバー部９４を配置し、検出孔９２の内周縁部とカバー部９４の外周縁部とを、複数の薄肉部９６で架け渡している。そして、ディスク押さえ２４を開放位置まで回動させると、アーム部８４の当接部１０４が柱状部１００を押圧して傾斜させ、薄肉部９６が折損するようにしている。このように、ディスク押さえ２４を開放位置まで回動させると、検出孔９２を開放することで、検出孔９２が開放されているか否かによって、ディスクメディア１２をケース１４から取り出したことがあるか否か（取出し履歴）が判断できる。【選択図】        図８
2005276338.tif 000002
【特許請求の範囲】
【請求項１】
ドライブ装置に装填されて情報の記録再生が可能なディスクメディアと、前記ディスクメディアを回転可能に収納するケースと、を備え、
前記ケースに設けられ前記ディスクメディアの取出しが可能なディスク開口部と、
前記ケースから前記ディスクメディアを初めて取出す際の取出し操作に伴って、認識可能かつ非可逆的な変形を生ずるディスク取出し履歴検出手段と、
を有することを特徴とするディスクカートリッジ。
【請求項２】
前記ディスク取出し履歴検出手段は、前記取出し操作に伴って、前記ケースの一部が非可逆的に除去される構成であることを特徴とする請求項１に記載のディスクカートリッジ。
【請求項３】
前記ケースは、前記ディスク開口部が形成された上シェルと前記上シェルと接合され下シェルとで構成され、前記ディスク開口部の一部を塞いで前記ディスクメディアを前記下シェル側へ押圧する閉鎖位置と当該一部を開いてディスクメディアの取出しが可能な開放位置との間を回動する押さえ部材を有し、
前記ディスク取出し履歴検出手段は、前記下シェルに設けられた封止部材と、前記封止部材で塞がれた検出孔と、からなり、前記押さえ部材が前記開放位置まで回動すると前記封止部材が非可逆的に除去されることを特徴とする請求項２に記載のディスクカートリッジ。
【請求項４】
前記封止部材が、
前記検出孔の内周縁部に架け渡され検出孔を塞ぐ第１カバー部と、
前記第１カバー部から立設し、前記押さえ部材が前記開放位置まで回動したときに押圧され第１カバー部を非可逆的に変形させる第１柱状部と、
で構成されたことを特徴とする請求項３に記載のディスクカートリッジ。
【請求項５】
前記第１カバー部と前記検出孔の内周縁部との連結部分に切欠き部が設けられたことを特徴とする請求項４に記載のディスクカートリッジ。
【請求項６】
破損した前記第１カバー部及び前記第１柱状部を取出し可能な取出し孔が前記検出孔と異なる面に設けられたことを特徴とする請求項４又は５に記載のディスクカートリッジ。
【請求項７】
前記封止部材が、
前記検出孔の軸芯に沿って延出し、前記押さえ部材と一体に成形された第２柱状部と、
前記第２柱状部の先端部に一体に前記検出孔より小さく形成され、前記押さえ部材が前記開放位置まで回動したとき、前記第２柱状部から分離し、検出孔から抜け落ちる第２カバー部と、
を有することを特徴とする請求項３に記載のディスクカートリッジ。
【請求項８】
前記封止部材が、
前記検出孔の軸芯に沿って延出し、前記押さえ部材に圧入保持された第３柱状部と、
前記第３柱状部の先端部に一体に前記検出孔より小さく形成され、前記押さえ部材が前記開放位置まで回動したとき、第３柱状部が押さえ部材から分離し、第３柱状部と共に検出孔から抜け落ちる第３カバー部と、
を有することを特徴とする請求項３に記載のディスクカートリッジ。
【請求項９】
前記下シェルに設けられ、前記ディスクメディアへドライブ装置の記録再生ヘッドがアクセス可能とするヘッド開口部と、
前記ケース内に前記ディスクメディアと同軸的に設けられた第１シャッターと、前記第１シャッターとは異なる軸回りに回動可能な第２シャッターとが互いに協働して反対方向に回動することにより前記ヘッド開口部を開閉するシャッター機構と、
を備えたことを特徴とする請求項３〜８の何れか１項に記載のディスクカートリッジ。
【発明の詳細な説明】
【技術分野】
【０００１】
本発明は、ドライブ装置に装填され、情報が記録再生されるディスクメディアが収納されたディスクカートリッジに関するものである。
【背景技術】
【０００２】
光ディスクや光磁気ディスク等のディスクメディアは、記録又は再生を行う際には、ドライブ装置に装填された状態で回転し、記録ヘッドによってレーザー光又はレーザー光と磁場の両者が記録層へ照射されることで、記録層の分解及び／又は昇温によるピット形成や相変化、磁化反転等によって情報の記録がなされ、又はレーザー光の反射率や偏光角の相違を再生ヘッドで読み取って記録された情報の再生が行われるようになっている。
【０００３】
例えば、特許文献１では、ケースにディスク押さえ部材を回動可能に軸支させ、ディスクメディアの保存時にはディスク押さえ部材によってディスクメディアを押圧保持し、ディスクメディアの動作時にはディスク押さえ部材をディスクメディアから若干離間させる。
【０００４】
このディスクメディアの保存時／動作時には、ディスク押さえ部材によってディスクメディアはカバーされており、ディスクメディアをケースから取出すことはできないが、ディスク押さえ部材を一定の角度まで回動させるとディスクメディアは取出し可能となる。
【０００５】
しかしながら、ディスクメディアは、ケース内に収納された状態で、ディスクメディアの記録／再生履歴などの品質は維持されるため、ディスクメディアをケースから取り出した場合、ディスクメディアの品質が維持されない可能性がある。このため、ディスクメディアをケースから取り出したことがあるか否かによって、ディスクメディアの品質の保証も異なってくる。
【特許文献１】特開２００３−２４２７４０号公報
【発明の開示】
【発明が解決しようとする課題】
【０００６】
本発明は上記事実を考慮し、ディスクメディアをケースから取出したことがあるか否か判断できるディスクカートリッジを得ることを目的としている。
【課題を解決するための手段】
【０００７】
請求項１に記載の発明は、ディスクカートリッジにおいて、ドライブ装置に装填されて情報の記録再生が可能なディスクメディアと、前記ディスクメディアを回転可能に収納するケースと、を備え、前記ケースに設けられ前記ディスクメディアの取出しが可能なディスク開口部と、前記ケースから前記ディスクメディアを初めて取出す際の取出し操作に伴って、認識可能かつ非可逆的な変形を生ずるディスク取出し履歴検出手段と、を有することを特徴としている。
【０００８】
請求項１に記載の発明では、情報が記録再生されるディスクメディアをケースに収納した状態でケースをドライブ装置に装填するとディスクメディアが回転可能となる。ここで、記録再生されるディスクメディアは、再生専用ディスクメディア（例えば、ＤＶＤ−ＲＯＭなど）、一回のみ記録可能なディスクメディア（例えば、ＤＶＤ−Ｒ、ＤＶＤ＋Ｒなど）、および繰り返し記録可能なディスクメディア（例えば、ＤＶＤ−ＲＷ、ＤＶＤ−ＲＡＭなど）を包含する。
【０００９】
このケースにはディスクメディアの取出しが可能なディスク開口部を設けてあり、ケースからディスクメディアを初めて取出す際の取出し操作に伴って、認識可能かつ非可逆的な変形を生ずるディスク取出し履歴検出手段を設けている。
【００１０】
このように、ディスク取出し履歴検出手段を設けることで、ディスクメディアをケースから取り出したことがあるか否か（取出し履歴）を判断することができる。また、ケースからディスクメディアを初めて取出す際の取出し操作に伴って、ディスク取出し履歴検出手段を非可逆的に変形（破損、折損も含む）させることで、ディスク取出し履歴検出手段を変形前の状態に戻すことはできないため、実際にはディスクメディアをケースから取り出したにも拘らず、取出し履歴をごまかすことができないようにすることができる。
【００１１】
また、例えば、ディスクメディアの取出し時に、ユーザ自らがディスク取出し履歴検出手段を変形させることで、取出し履歴が分かるようにすることもできるが、ユーザが意識的にディスク取出し履歴検出手段を変形させない、或いはディスク取出し履歴検出手段を変形させるつもりが忘れたなどのミスケースが予測され、ディスクメディアの取出し履歴が正確に為されない懸念がある。このため、ケースからディスクメディアを初めて取出す際の取出し操作に伴って、ディスク取出し履歴検出手段を自動的に非可逆的に変形させることで、上記のような懸念が生じることはない。
【００１２】
請求項２に記載の発明は、請求項１に記載のディスクカートリッジにおいて、前記ディスク取出し履歴検出手段は、前記取出し操作に伴って、前記ケースの一部が非可逆的に除去される構成であることを特徴としている。
【００１３】
請求項２に記載の発明では、取出し操作に伴って、ケースの一部を非可逆的に除去することで、ディスク取出し履歴検出手段の有無によって、取出し履歴が分かることになる。
【００１４】
請求項３に記載の発明は、請求項２に記載のディスクカートリッジにおいて、前記ケースは、前記ディスク開口部が形成された上シェルと前記上シェルと接合され下シェルとで構成され、前記ディスク開口部の一部を塞いで前記ディスクメディアを前記下シェル側へ押圧する閉鎖位置と当該一部を開いてディスクメディアの取出しが可能な開放位置との間を回動する押さえ部材を有し、前記ディスク取出し履歴検出手段は、前記下シェルに設けられた封止部材と、前記封止部材で塞がれた検出孔と、からなり、前記押さえ部材が前記開放位置まで回動すると前記封止部材が非可逆的に除去されることを特徴としている。
【００１５】
請求項３に記載の発明では、ディスク開口部が形成された上シェルと下シェルとを接合してケースを構成する。このケースには押さえ部材を回動可能に設けており、押さえ部材は、ディスク開口部の一部を塞ぎディスクメディアを下シェル側へ押圧する閉鎖位置と、当該一部を開いてディスクメディアの取出しを可能とする開放位置との間を回動する。
【００１６】
ここで、ディスク取出し履歴検出手段を、下シェルに設けられた封止部材と、封止部材で塞がれた検出孔と、で構成し、押さえ部材を開放位置まで回動させると封止部材を非可逆的に除去するようにしている。つまり、押さえ部材を開放位置まで回動させると封止部材が非可逆的に除去され、封止部材で塞がれた検出孔が開放されることとなる。このため、検出孔が塞がれた状態か開放された状態かによって、ディスクメディアの取出し履歴を簡単に認識することができる。
【００１７】
請求項４に記載の発明は、請求項３に記載のディスクカートリッジにおいて、前記検出孔の内周縁部に架け渡され検出孔を塞ぐ第１カバー部と、前記第１カバー部から立設し、前記押さえ部材が前記開放位置まで回動したときに押圧され第１カバー部を非可逆的に変形させる第１柱状部と、で構成されたことを特徴としている。
【００１８】
請求項４に記載の発明では、検出孔の内周縁部に架け渡された第1カバーによって検出孔を塞いでおり、この第１カバー部からは第１柱状部を立設させ、押さえ部材が開放位置まで回動したとき押圧されるようにしている。これにより、第１柱状部を介して第1カバー部を非可逆的に変形させることができる。
【００１９】
請求項５に記載の発明は、請求項４に記載のディスクカートリッジにおいて、第1カバー部と前記検出孔の内周縁部との連結部分に切欠き部が設けられたことを特徴としている。
【００２０】
請求項５に記載の発明では、第1カバー部と前記検出孔の内周縁部との連結部分に切欠き部を設けることで、第1カバー部と前記検出孔の内周縁部との連結部分を折損（破断）し易くし、第１カバー部と検出孔の内周縁部とを切り離し、検出孔を通じて第1カバー部をケースから確実に取り除くことができる。
【００２１】
請求項６に記載の発明は、請求項４又は５に記載のディスクカートリッジにおいて、前記第１カバー部及び前記第１柱状部を取出し可能な取出し孔が前記検出孔と異なる面に設けられたことを特徴としている。
【００２２】
請求項６に記載の発明では、第１カバー部及び第１柱状部を取出し可能な取出し孔を設けることで、第１カバー部及び第１柱状部をディスク押さえ部材と別体で構成した場合、第1カバー部と前記検出孔の内周縁部との連結部分を折損した後、取出し孔を通じて、第１カバー部及び第１柱状部をケースから取出すことができる。
【００２３】
このように、第1カバー部と前記検出孔の内周縁部との連結部分が折損した後で、第１カバー部及び第１柱状部をケースから取り出すことで、第１カバー部が誤って検出孔を再度塞ぐことがないようにしている。また、取出し孔を検出孔と異なる面に設けることで、例えば、ドライブ装置によってディスクメディアの取出し履歴を識別する上で誤動作が生じる危険性が少ない。
【００２４】
請求項７に記載の発明は、請求項３に記載のディスクカートリッジにおいて、前記封止部材が、前記検出孔の軸芯に沿って延出し、前記押さえ部材と一体に成形された第２柱状部と、前記第２柱状部の先端部に一体に前記検出孔より小さく形成され、前記押さえ部材が前記開放位置まで回動したとき、前記第２柱状部から分離し、検出孔から抜け落ちる第２カバー部と、を有することを特徴としている。
【００２５】
請求項７に記載の発明では、検出孔の軸芯に沿って延出する第２柱状部を押さえ部材と一体に成形している。この第２柱状部の先端部には、検出孔より小さく形成された第２カバー部を一体に設けている。つまり、第２カバー部及び第２柱状部と押さえ部材とは一体に成形される。換言すれば、第２カバー部は下シェルと一体に設けられないため、第２カバー部と検出孔の内周縁部とは架け渡されることはなく、第２カバー部は第２柱状部を介して単に検出孔内に配置されるのみとなる。
【００２６】
このため、押さえ部材を開放位置まで回動させたとき、第２カバー部を第２柱状部から分離させるようにすることで、第２カバー部は検出孔から抜け落ちることとなり、検出孔を開放させることができる。
【００２７】
請求項８に記載の発明は、請求項３に記載のディスクカートリッジにおいて、前記封止部材が、前記検出孔の軸芯に沿って延出し、前記押さえ部材に圧入保持された第３柱状部と、前記第３柱状部の先端部に一体に前記検出孔より小さく形成され、前記押さえ部材が前記開放位置まで回動したとき、第３柱状部が押さえ部材から分離し、第３柱状部と共に検出孔から抜け落ちる第３カバー部と、を有することを特徴としている。
【００２８】
請求項８に記載の発明では、検出孔の軸芯に沿って延出する第３柱状部を押さえ部材に圧入保持させ、押さえ部材を開放位置まで回動させたとき、第３柱状部を押さえ部材から分離させるようにしている。一方、第３柱状部の先端部には、検出孔より小さく形成された第３カバー部を一体に設けており、第３柱状部が押さえ部材から分離すると、第３カバー部は第３柱状部と共に検出孔から抜け落ちることとなり、検出孔を開放させることができる。
【００２９】
請求項９に記載の発明は、請求項３〜８の何れか１項に記載のディスクカートリッジにおいて、前記下シェルに設けられ、前記ディスクメディアへドライブ装置の記録再生ヘッドがアクセス可能とするヘッド開口部と、前記ケース内に前記ディスクメディアと同軸的に設けられた第１シャッターと、前記第１シャッターとは異なる軸回りに回動可能な第２シャッターとが互いに協働して反対方向に回動することにより前記ヘッド開口部を開閉するシャッター機構と、を備えたことを特徴としている。
【００３０】
請求項９に記載の発明では、下シェルには、ディスクメディアへドライブ装置の記録再生ヘッドがアクセス可能とするヘッド開口部を形成している。また、ケース内にディスクメディアと同軸的に設けられた第１シャッターと、第１シャッターとは異なる軸回りに回動可能な第２シャッターとでシャッター機構を構成し、第１シャッターと第２シャッターとが互いに協働して反対方向に回動することによりヘッド開口部を開閉するようにしている。
【００３１】
これにより、ディスクカートリッジをドライブ装置に装填している間は、ドライブ装置の記録再生ヘッドがカートリッジ内のディスクメディアにアクセス可能である一方、ドライブ装置外では、外部から遮断された密閉空間にディスクメディアが保管される状態を維持することができるので、外部からの塵埃がディスクメディアの記録面（下面側）に付着して情報の記録再生に支障をきたす恐れが低減される。
【発明の効果】
【００３２】
本発明は、上記構成としたので、請求項１に記載の発明では、ディスク取出し履歴検出手段を設けることで、ディスクメディアをケースから取り出したことがあるか否か（取出し履歴）を判断することができる。また、ケースからディスクメディアを初めて取出す際の取出し操作に伴って、ディスク取出し履歴検出手段を非可逆的に変形（破損、折損も含む）させることで、実際にはディスクメディアをケースから取り出したにも拘らず、取出し履歴をごまかすことができないようにすることができる。
【００３３】
請求項２に記載の発明では、取出し操作に伴って、ケースの一部を非可逆的に除去することで、ディスク取出し履歴検出手段の有無によって、取出し履歴が分かることになる。
【００３４】
請求項３に記載の発明では、検出孔が閉塞された状態か開放された状態かによって、ディスクメディアの取出し履歴を簡単に認識することができる。
【００３５】
請求項４に記載の発明では、第１柱状部を介して第1カバー部を非可逆的に変形させることができる。
【００３６】
請求項５に記載の発明では、第1カバー部と前記検出孔の内周縁部との連結部分を折損（破断）し易くし、第１カバー部と検出孔の内周縁部とを切り離し、検出孔を通じて第1カバー部をケースから確実に取り除くことができる。
【００３７】
請求項６に記載の発明では、第1カバー部と前記検出孔の内周縁部との連結部分が折損した後で、第１カバー部及び第１柱状部をケースから取り出すことで、第１カバー部が誤って検出孔を再度塞ぐことがないようにしている。また、取出し孔を検出孔と異なる面に設けることで、例えば、ドライブ装置によってディスクメディアの取出し履歴を識別する上で誤動作が生じる危険性が少ない。
【００３８】
請求項７に記載の発明では、押さえ部材を開放位置まで回動させたとき、第２カバー部を第２柱状部から分離させるようにすることで、第２カバー部は検出孔から抜け落ちることとなり、検出孔を開放させることができる。
【００３９】
請求項８に記載の発明では、第３柱状部が押さえ部材から分離すると、第３カバー部は第３柱状部と共に検出孔から抜け落ちることとなり、検出孔を開放させることができる。
【００４０】
請求項９に記載の発明では、ディスクカートリッジをドライブ装置に装填している間は、ドライブ装置の記録再生ヘッドがカートリッジ内のディスクメディアにアクセス可能である一方、ドライブ装置外では、外部から遮断された密閉空間にディスクメディアが保管される状態を維持することができるので、外部からの塵埃がディスクメディアの記録面（下面側）に付着して情報の記録再生に支障をきたす恐れが低減される。
【発明を実施するための最良の形態】
【００４１】
以下、本発明の一実施形態について、図面に示す実施例を基に詳細に説明する。なお、図２において示す矢印Ａは、ディスクカートリッジ１０のディスクドライブ装置（以下、単に「ドライブ装置」という）への装填方向を示しており、説明の便宜上、矢印Ａで示す側を前側とする。そして、矢印Ａと直交する矢印Ｂで示す方向を上側、矢印Ａ及び矢印Ｂと直交する矢印Ｃで示す方向を右側とする。また、以下において、本発明における「保存時」を「不使用時」、「動作時」を「使用時」として説明する場合がある。
【００４２】
図１〜図３で示すように、ディスクカートリッジ１０は、円盤状に形成された情報記録再生媒体としてのディスクメディア１２と、ディスクメディア１２を収容するケース１４と、ディスクメディア１２へアクセスするためにケース１４の下面に設けられた開口２０を開閉可能なインナーロータ１６及び第２シャッター部材１８と、インナーロータ１６の回動と連動して上下動するディスク受け２２と、ディスクメディア１２の保存時に、ディスクメディア１２がケース１４の上面に設けられたディスク開口部３５から脱落しないように保持するディスク押さえ２４とで主に構成されている。
【００４３】
なお、ディスクカートリッジ１０の不使用時（ディスクメディア１２の保存時）に、インナーロータ１６の回動を阻止して開口２０の閉塞状態を維持するロック部材も設けられているが、これについての図示及び説明は省略する。
【００４４】
まず、ディスクメディア１２について説明する。
【００４５】
図４に示すように、ディスクメディア１２は、基板１１と、情報の再生時に反射率を向上させる反射層１３と、情報が記録される記録層１５と、レーザ光を透過させる光透過層１７と、で構成されており、基板１１の表面には、印刷層１９が設けられている。
【００４６】
印刷層１９には、例えばディスクメディア１２のコンテンツ等を印刷することで、ユーザーは、ディスクメディア１２の内容を容易に把握することができる。さらに、印刷層１９の意匠性を高めることで、ディスクカートリッジ１０全体の意匠性を向上させることができる。
【００４７】
また、印刷層１９と基板１１の間には、防湿層（アルミスパッタ等）２１が設けられている。基板１１側は、後述するように、ディスク開口部３５によって常に外部へ露出しているため、印刷層１９と基板１１の間に防湿層２１を設けることで、基板１１の吸湿を防止することができる。
【００４８】
一方、ディスクメディア１２の軸心部には、円形のセンター孔１２Ａが穿設されており、センター孔１２Ａと記録面１２Ｂ（記録層１５と対面する光透過層１７の領域）との間の領域は、ドライブ装置の回転スピンドル軸がディスクメディア１２を保持するためのチャッキングエリア１２Ｃとされている。なお、本実施例では、ディスクメディア１２の直径（外径）は略１２０ｍｍとされている。
【００４９】
次に、ケース１４について説明する。
【００５０】
図２、図３で示すように、ケース１４は、合成樹脂製の上シェル２６と下シェル２８とを接合してなる略矩形扁平容器状に構成されている。具体的には、ケース１４は、平面視で、前縁部が左右略対称の円弧状に形成され、後端両隅角部が斜めに切り欠かれた形状に形成されており、この形状によってドライブ装置への誤装填が防止されるようになっている。
【００５１】
上シェル２６は、平面視でケース１４の形状に対応した形状の天板３０と、天板３０の外周縁部に沿って下方に立設された外周壁３２と、を備えており、外周壁３２の右壁には、略矩形状の切欠部３２Ａが形成されている。
【００５２】
一方、天板３０には、ディスクメディア１２の外径よりも若干大径（ディスクメディア１２が回転しても接触しない程度の大きさ）の円形孔とされたディスク開口部３５が穿設されている。このように、上シェル２６の天板３０に、ディスク開口部３５が設けられたことにより、上方への膨出部分は形成されないため、ディスク開口部３５が形成されていない密閉型ディスクカートリッジのケースよりもケース１４は薄く構成できる利点がある。
【００５３】
ディスク開口部３５の内周縁部には、下方に向けて所定高さの内周壁３４が立設されており、内周壁３４の内側には、ディスクメディア１２が回転可能に収容されるようになっている。このディスク開口部３５によって、ケース１４へのディスクメディア１２の挿入、ケース１４からのディスクメディア１２の取り出しが可能となっている。
【００５４】
また、天板３０の後部側には、ディスク押さえ２４のアーム部８２、８４を許容する切欠部３０Ａ、３０Ｂが形成されている。そして、一方（右方）の切欠部３０Ｂよりも後側で、かつ外方側の天板３０の内面には、後述する付勢手段としてのコイルばね９０の一端に形成された略環状のフック９０Ａを係止する係止ピン３８が突設されている。
【００５５】
ここで、切欠部３０Ｂは、係止ピン３８側が切欠部３０Ａよりも幅広に切り欠かれており、後述するディスク押さえ２４がディスクメディア１２の取出位置へ回動（開放位置）したときに、コイルばね９０の移動を許容するようになっている。
【００５６】
また、図３及び図５で示すように、天板３０の後部側内面で、切欠部３０Ａ、３０Ｂの間には、アーム部８２、８４に設けられた軸部８６が外れないように、下シェル２８に突設された軸受け５６と対をなして回動自在に保持する軸押さえ３６が所定間隔を隔てて突設されている（後述する）。
【００５７】
一方、下シェル２８は、天板３０に略対応した形状の底板４０と、上シェル２６の外周壁３２に対応した形状の外周壁４２とを備えており、底板４０には、開口２０が設けられている。開口２０は、ディスクメディア１２のセンター孔１２Ａの外径よりも大径で、かつチャッキングエリア１２Ｃの外径（記録面１２Ｂの内径）よりも若干小径とされた略円形状のハブ孔２０Ａと、ハブ孔２０Ａの左右方向に沿う中心線よりも前方に連設された略矩形状の記録再生ヘッド用窓部２０Ｂと、で構成され、全体として前方に開口する略Ｕ字状に形成されている。なお、ハブ孔２０Ａと記録再生ヘッド用窓部２０Ｂの形状は、これに限定されるものではなく、互いに独立して設けられてもよい。
【００５８】
何れにしてもハブ孔２０Ａは、上シェル２６と下シェル２８とが接合された状態で、収容されたディスクメディア１２と略同軸となるように配置されている。そして、ハブ孔２０Ａは、上記寸法とされることで、不使用時において、センター孔１２Ａ及びチャッキングエリア１２Ｃのみを外部に露出し、記録面１２Ｂを外部に露出しない構成とされている。また、記録面１２Ｂを露出するための記録再生ヘッド用窓部２０Ｂは、その左縁がハブ孔２０Ａの前後方向に沿う接線よりも左方に位置するように拡幅されており、その前部は外周壁４２を切り欠いて前方に開口している。
【００５９】
ハブ孔２０Ａにはドライブ装置の回転スピンドル軸が進入可能となっており、ハブ孔２０Ａを通じてディスクメディア１２のセンター孔１２Ａを係合保持しつつ、ディスクメディア１２を回転駆動するようになっている。そして、記録再生ヘッド用窓部２０Ｂには、ドライブ装置の記録再生ヘッドが進入して、ディスクメディア１２の記録層１５（図４参照）に対し、情報の記録又は再生を行うようになっている。なお、このとき、記録再生ヘッド用窓部２０Ｂが前方にも開口していることから、記録再生ヘッドは、記録面１２Ｂの外周縁部まで容易にアクセス可能となっている。
【００６０】
一方、底板４０の後部側内面には、一対のボス４４、４６が所定間隔を隔てて突設されている。左側のボス４４は平面視円形状に形成され、右側のボス４６は左右方向が長い平面視楕円形状に形成されている。このボス４４、４６には、位置決め孔４４Ａ、４６Ａが穿設されており、この位置決め孔４４Ａ、４６Ａにドライブ装置の位置決めピン（図示省略）が挿入されることにより、ディスクカートリッジ１０のドライブ装置内での位置決めがなされるようになっている。
【００６１】
また、底板４０には、後述するインナーロータ１６を内側に収容して回動可能に保持するリブ状の内壁５０が立設されている。この内壁５０は、平面視でインナーロータ１６よりも若干大径とされた不連続な円弧状に形成されている。記録再生ヘッド用窓部２０Ｂの左右両縁部の前端には、それぞれ前端が外周壁４２に連設し後端が内壁５０に連設する防塵リブ４８が立設されている。なお、防塵リブ４８及び内壁５０の高さは、インナーロータ１６の環状壁部６２の高さと同等とされている。
【００６２】
また、右側の外周壁４２には、上シェル２６の外周壁３２に形成された切欠部３２Ａに対応した略矩形状の切欠部４２Ａが形成されており、上シェル２６と下シェル２８とを互いの外周壁３２、４２の端面を突き当てた状態で、ビス止めや超音波溶着等によって接合してケース１４を形成した際、インナーロータ１６の操作突起７２を突出させるシャッター操作窓５２が形成される構成である。
【００６３】
なお、このシャッター操作窓５２はケース１４の右壁側に設けられるものに限定されるものではなく、ドライブ装置との関係やインナーロータ１６及び第２シャッター部材１８の形状等により、適宜その配設位置は変更される。
【００６４】
また、底板４０の後部側内面には、上シェル２６に突設された軸押さえ３６と対をなして、後述するディスク押さえ２４の軸部８６を回動自在に支持する軸受け５６が所定間隔を隔てて突設されている。この軸受け５６は、軸部８６と平行な所定高さの突条部５６Ａと、その突条部５６Ａの前後に形成された段部５６Ｂ、５６Ｃと、を有しており、段部５６Ｂ、５６Ｃは、例えば前側の段部５６Ｂが低く、後側の段部５６Ｃが高く形成されている。
【００６５】
一方、上シェル２６に形成された軸押さえ３６は、側面視半円弧状に形成された底部３６Ａと、底部３６Ａから連続して直線状に形成された前壁部３６Ｂ及び後壁部３６Ｃとを有し、かつ、その前壁部３６Ｂと後壁部３６Ｃの高さが異なるように、例えば前壁部３６Ｂが後壁部３６Ｃよりも高くなるように形成されている。
【００６６】
軸受け５６は、軸押さえ３６の前壁部３６Ｂと後壁部３６Ｃ間に挿入可能となっており、軸押さえ３６を軸受け５６に対向させて、前壁部３６Ｂの端面を段部５６Ｂに当接させ、後壁部３６Ｃの端面を段部５６Ｃに当接させたときに（上シェル２６を下シェル２８に被せてケース１４を組み立てたときに）、底部３６Ａと突条部５６Ａとの間にディスク押さえ２４の軸部８６を回動可能に保持できる空間が形成されるようになっている。
【００６７】
一方の軸受け５６（ここでは、右側）の外側近傍には、円形の検出孔９２が貫通している。この検出孔９２内には、図６に示すように、検出孔９２の内径寸法よりも小さい外径寸法を有する円筒状のカバー部９４は配置されており、検出孔９２の内周縁部とカバー部９４の外周縁部とは、複数の（ここでは３つ）板状の薄肉部９６（連結部分）によって架け渡されている。
【００６８】
この薄肉部９６の根元部には、切欠き部９８が形成されており、薄肉部９６が折損し易くなっている。また、カバー部９４の中央部からは円柱状の柱状部１００が立設しており、軸受け５６の突条部５６Ａと略同一の高さとなっている。
【００６９】
また、図２及び図３に示すように、一方の軸受け５６の近傍の外周壁４２と直交し、軸受け５６の側壁と対面する外周壁４２には、矩形状の取出し孔１０２が貫通しており、カバー部９４及び柱状部１００が挿通可能な大きさとなっている（後述する）。
【００７０】
一方、底板４０の内面には、インナーロータ１６の下面に突設された係合突起６８が係合する凹部５４、５５が所定間隔を隔てて形成されている。この凹部５４、５５は、互いに対向する側が緩やかな傾斜面となるように形成されている。そして、底板４０の内面で、かつ凹部５４、５５よりも前部側には、後述するディスク受け２２を底板４０に対して上下動可能に支持する一対のガイドピン５８が所定間隔を隔てて突設されている。
【００７１】
次に、インナーロータ１６と第２シャッター部材１８について説明する。
【００７２】
図３に示すように、インナーロータ１６及び第２シャッター部材１８は、下シェル２８の底板４０上に設けられ、インナーロータ１６はディスクメディア１２と同軸的に設けられており、第２シャッター部材１８はインナーロータ１６とは異なる軸回りに回動可能に設けられている。
【００７３】
そして、このインナーロータ１６と第２シャッター部材１８とが互いに反対方向に回動することにより、記録再生ヘッド用窓部２０Ｂが開閉されるようになっており、記録再生ヘッド用窓部２０Ｂの開放時に、ディスクメディア１２の記録面１２Ｂの一部が外部に露出することにより、ドライブ装置の記録再生ヘッドによるアクセスが可能となる構成である。
【００７４】
インナーロータ１６は、上シェル２６のディスク開口部３５の内周壁３４と共に、ディスクメディア１２を収容可能な収容部５７を構成しており、ディスクメディア１２の記録面１２Ｂと所定の間隙を有して対面する第１シャッター６０と、ディスクメディア１２を内側に収容可能とする環状壁部６２と、で構成されている。
【００７５】
環状壁部６２は、ケース１４を組み立てたときに、下シェル２８の内壁５０の内側に位置し、上シェル２６の内周壁３４の外側に回動可能に配置されるようになっており、環状壁部６２の上端が上シェル２６（天板３０）によって被覆される。
【００７６】
第１シャッター６０の内面には、ディスクメディア１２の外周縁部を下方から支持するように上方に向けて隆起した外周受け部６４が、環状壁部６２に沿って突設している。また、第１シャッター６０には開口部６１が形成されている。
【００７７】
この開口部６１は、下シェル２８のハブ孔２０Ａに対応する平面視円弧状の切欠部６０Ａと、環状壁部６２の所定位置、即ち開口２０の開放時（図１４参照）に記録再生ヘッド用窓部２０Ｂと対応する部分に、外周受け部６４を含んで略矩形状に切り欠かれた切欠部６２Ａと、を架け渡した状態で形成されており、切欠部６０Ａの内周縁部には、ディスクメディア１２のチャッキングエリア１２Ｃの外周縁部を下方から支持する平面視円弧状の内周受け部６６が突設されている。
【００７８】
また、開口部６１の右側に位置する切欠部６０Ａと切欠部６２Ａとの間は、記録再生ヘッド用窓部２０Ｂの開放時、記録再生ヘッド用窓部２０Ｂの右端縁よりも外方側に拡開する（図１４参照）平面視円弧状とされ、記録再生ヘッド用窓部２０Ｂが閉塞した状態（図９参照）で、第２シャッター部材１８と突き当たる突当部６５が設けられている。
【００７９】
さらに、開口部６１の左側には、切欠部６０Ａと連通する切欠部６３が形成されている。この切欠部６３側の外周受け部６４の下面の所定位置には、第２シャッター部材１８をインナーロータ１６と連動して移動させるための係合突起６８が突設されている。
【００８０】
一方、環状壁部６２の上面の所定位置には、ディスク押さえ２４を所定高さ持ち上げるための凸部７０が突設されており、環状壁部６２の外周面の所定位置には、シャッター操作窓５２から突出する操作突起７２が径方向に向かって突設されている。また、環状壁部６２の上面で、切欠部６２Ａよりも左側の所定位置には、後述するディスク受け２２と係合するカム段部６２Ｃが形成されている。
【００８１】
第２シャッター部材１８は、下シェル２８の左側に突設されたボス４４の外周に挿嵌される孔部７４Ａを有するボス７４を有しており、ボス４４を中心に回動可能となるように構成されている。つまり、ボス４４が第２シャッター部材１８の回動支点となっている。そして、第２シャッター部材１８のボス７４とは反対側の端面が、インナーロータ１６の突当部６５に面接する平面視円弧状の突当部７５とされている。
【００８２】
また、第２シャッター部材１８には、ハブ孔２０Ａに対応する平面視円弧状の切欠部１８Ａが形成されており、切欠部１８Ａの内周縁部には、記録再生ヘッド用窓部２０Ｂの閉塞時に、インナーロータ１６の内周受け部６６の側面と当接することにより、所定高さの環状凸部６７を構成する平面視円弧状の内周受け部７６が突設されている（図９参照）。
【００８３】
このように、環状凸部６７を構成する内周受け部６６、７６によって、ディスクメディア１２の内周縁部が下方から支持される。すなわち、記録再生ヘッド用窓部２０Ｂの閉塞時に、ディスクメディア１２のチャッキングエリア１２Ｃの外周縁に内周受け部６６、７６が当接し、ディスクメディア１２の外周縁部に外周受け部６４が当接することで、記録再生ヘッド用窓部２０Ｂの閉塞時に、ハブ孔２０Ａを通じて記録面１２Ｂへ塵埃或いは水分等が進入しないように防止することができる。
【００８４】
さらに、第２シャッター部材１８の所定位置には、平面視略「く」字状の細長いガイド孔７８が穿設されている。このガイド孔７８に、インナーロータ１６の係合突起６８が挿入されて係合することにより、第２シャッター部材１８がインナーロータ１６と協働して、互いに反対方向へ回動可能となる。
【００８５】
なお、内周受け部７６の上面は、インナーロータ１６の第１シャッター６０の内面よりも突出しているため、インナーロータ１６の第１シャッター６０には、内周受け部７６の移動軌跡に合わせて切欠部６３を形成している。これにより、第２シャッター部材１８の移動を許容している。また、係合突起６８は、ガイド孔７８を突き抜けて凹部５４、５５内に挿入されるようになっている。つまり、係合突起６８の突出高さは、第２シャッター部材１８の板厚よりも高くなっている。
【００８６】
次に、ディスク受け２２について説明する。
【００８７】
図３に示すように、ディスク受け２２は、切欠部６２Ａを形成したことにより、外周受け部６４の一部が無くなったのを補うためのもので、記録再生ヘッド用窓部２０Ｂの閉塞時に、切欠部６２Ａを閉塞するように架橋される。具体的には、内側に環状壁部６２を収容可能な断面視略「コ」字状に形成され、平面視で環状壁部６２と曲率が同一の円弧状となるように形成されている。
【００８８】
また、ディスク受け２２の両端部には、下シェル２８に突設されたガイドピン５８が係合する一対の係合溝（図示省略）が形成されており、ガイドピン５８に沿ってディスク受け２２が上下動可能となっている。
【００８９】
さらに、このディスク受け２２は、図７で示すように、インナーロータ１６の回動に伴って上下動するように、その上壁２２Ａの下面左端部に、カム段部６２Ｃと係合するカム突起２２Ｃが形成されている。
【００９０】
したがって、記録再生ヘッド用窓部２０Ｂの閉塞時（図７（Ａ）参照）には、カム突起２２Ｃが環状壁部６２の上面に支持されることにより、ディスク受け２２は上昇位置にあって切欠部６２Ａを閉塞する。そして、ディスク受け２２の下壁２２Ｂが、欠けている外周受け部６４の一部を補い、ディスクメディア１２の外周縁部を、外周受け部６４と共に支持する。
【００９１】
一方、記録再生ヘッド用窓部２０Ｂの開放時（図７（Ｄ）参照）には、カム突起２２Ｃがカム段部６２Ｃに係合することにより、ディスク受け２２は下降し、インナーロータ１６との衝突を回避し、インナーロータ１６の移動（回動）を許容する。
【００９２】
なお、ディスク受け２２の下壁２２Ｂの左端部には、上向きのテーパー面が形成され、外周受け部６４の切欠部６２Ａの左辺縁部に臨む端部には、下向きのテーパー面が形成されている。したがって、インナーロータ１６の回動に伴なって、外周受け部６４は、その下壁２２Ｂ上に容易に乗り上げられる構成である。また、下壁２２Ｂの右端部にも、下向きのテーパー面が形成されており、外周受け部６４に形成された上向きのテーパー面と面接するようになっている。
【００９３】
次に、ディスク押さえ２４について説明する。
【００９４】
図３及び図８に示すように、ディスク押さえ２４は、開口２０が設けられている前部側と対向するケース１４の後部側に設けられ、ケース１４に対して回動可能に支持され所定間隔を隔てた一対のアーム部８２、８４と、アーム部８２、８４の先端に左右対称となるように連設され、ディスクメディア１２の非記録面１２Ｄの一部を被覆するように、そのディスクメディア１２の形状に沿った平面視略三日月型形状の押さえ部８０と、で構成されている。
【００９５】
押さえ部８０は、左右対称な平面視略三日月型形状とされることで、ディスクメディア１２のチャッキングエリア１２Ｃを回避するようになっており、ディスク開口部３５から進入して、上方からチャッキングエリア１２Ｃを保持するドライブ装置のチャッキング部材（図示省略）に干渉しないようになっている。
【００９６】
また、押さえ部８０は、先端部がディスクメディア１２の非記録面１２Ｄを押さえる（閉鎖位置）が、その左右両端をディスクメディア１２側へ若干屈曲させて、ディスクメディア１２の外周縁部のみを押さえる構成にしてもよい。何れにしても、このディスク押さえ２４によって、ディスクメディア１２がディスク開口部３５から脱落しないように、かつ、保存時において収容部５７内でガタつかないように保持される（図８（Ａ）参照）。
【００９７】
一方、一対のアーム部８２、８４の後端には、左右内側方に向けて円柱状の軸部８６がそれぞれ突設されており、その軸部８６が下シェル２８の軸受け５６と、上シェル２６の軸押さえ３６との間に形成された空間内に回動可能に挿入されるようになっている。
【００９８】
一方（右側）のアーム部８４の内面（下面）には、コイルばね９０の他端に形成された略環状のフック９０Ｂを係止する係止ピン８８が突設されており、コイルばね９０の一端（フック９０Ａ）が天板３０の内面に突設された係止ピン３８に係止され、コイルばね９０の他端（フック９０Ｂ）が係止ピン８８に係止された状態で、ディスク押さえ２４は、このコイルばね９０によって、常時ディスクメディア１２側へ付勢されるようになっている。
【００９９】
また、他方（左側）のアーム部８２の内面には、インナーロータ１６の環状壁部６２の上面に突設された凸部７０が当接してディスク押さえ２４を押し上げる作用面となっている。ディスクメディア１２の動作時（回転時）には、アーム部８２の作用面が凸部７０に当接し、コイルばね９０の付勢力に抗してディスク押さえ２４が若干上昇位置に保持され、ディスクメディア１２の回転を許容する。
【０１００】
さらに、ディスクメディア１２をディスク開口部３５から取り出すときには、ディスク押さえ２４を人手によって後方に向かって回動させるが、このとき、ディスク押さえ２４は、その最大回動位置に一時的に保持されるように、コイルばね９０の付勢力及び取付位置が規定されている。
【０１０１】
すなわち、ディスク押さえ２４が回動して、アーム部８２の外面（上面）が天板３０に形成された切欠部３０Ｂの後縁部に当接する最大回動位置にあるときには、図８（Ｃ）で示すように、コイルばね９０は、幅広に形成された切欠部３０Ｂ内に入り込んで、その付勢力が軸部８６を越えて矢印Ｆ方向へ向かうように、係止ピン８８の突設位置が規定されている。
【０１０２】
このような構成により、ディスク押さえ２４は最大回動位置（開放位置）に一時的に保持される構成であり、これによって、ディスク押さえ２４は、ディスクメディア１２を保持する保存位置（閉鎖位置）、ディスクメディア１２を回転可能とする動作位置、ディスクメディア１２を取出可能とする取出位置の３つの状態（姿勢）に保持可能とされている。また、このディスク押さえ２４は、図８（Ａ）、図８（Ｂ）で示すように、ディスクメディア１２を取り出す取出位置以外の位置（特に動作位置）において、側面視でケース１４（天板３０）の上面から突出しないように構成されている。
【０１０３】
ところで、図８に示すように、アーム部８４の内面（下面）には、押さえ部８０の先端部がディスクメディア１２の非記録面１２Ｄを押さえた状態で、下シェル２８に設けられた柱状部１００の後部側に位置し、柱状部１００の突出方向に沿って垂下する当接部１０４が設けられている。この当接部１０４は、ディスク押さえ２４を回動させると、柱状部１００に当接可能となっており、当接部１０４が柱状部１００に当接した状態で、ディスク押さえ２４を開放位置まで回動させると、柱状部１００は押圧され傾斜する。
【０１０４】
このとき、検出孔９２の内周縁部と柱状部１００の基部に設けられたカバー部９４の外周縁部とを架け渡す薄肉部９６が折損し、カバー部９４が上方へ持ち上げられ、カバー部９４によって塞がれていた検出孔９２が開放される。複数の薄肉部９６が全て折損し、カバー部９４及び柱状部１００が、下シェル２８から完全に分離することで、取出し孔１０２（図３参照）を通じて、カバー部９４及び柱状部１００をケース１４から取出すことができる。
【０１０５】
一方、ディスク押さえ２４の、特に動作位置において、ディスク押さえ２４がケース１４（天板３０）の上面から突出してしまうものに比べて、ドライブ装置の更なる薄型化が図れる効果がある。また、ドライブ装置の装填口が縦型とされて（ディスクカートリッジ１０を縦にして装填して）、その姿勢で回転駆動させられる構成であっても、ディスクメディア１２の脱落を好適に防止できる効果がある。
【０１０６】
ケース１４の後部側にディスク押さえ２４が設けられると、ディスクカートリッジ１０をドライブ装置へ装填するときに、そのディスクカートリッジ１０を把持するための把持部として利用することができるので好ましい。
【０１０７】
さらに、このディスク押さえ２４は、上シェル２６を下シェル２８に被せてケース１４を組み立てるときに、軸部８６が軸受け５６及び軸押さえ３６によって回動可能に保持されるので、ケース１４の組立後は、そのケース１４からの分離は不可能である。つまり、ディスク押さえ２４がケース１４の組立後も、そのケース１４から容易に分離可能であると、ユーザーが誤って紛失するおそれがあるが、このディスク押さえ２４は、ケース１４を分解しない限り、そのケース１４からの分離は不可能なので、紛失するなどのトラブルは発生しない。
【０１０８】
その他、このディスク押さえ２４の動作機能をユーザーに容易に認識させるために、少なくともそのディスク押さえ２４の上面に適宜文字やケース１４とは異なる色、模様等を形成してもよい。更に、ディスク押さえ２４の上面に、上記とは異なる何らかの識別用手段を形成して、ユーザーがディスク押さえ２４であることを容易に認識できるようにしてもよい。
【０１０９】
以上のような構成のディスクカートリッジ１０において、次に、その作用について説明する。
【０１１０】
図９〜図１４には、上シェル２６及びディスクメディア１２を取り除いた状態の平面図が示されている。図９に示すように、ディスクカートリッジ１０の不使用時（ディスクメディア１２の保存時）には、記録再生ヘッド用窓部２０Ｂがインナーロータ１６及び第２シャッター部材１８によって閉塞されている。
【０１１１】
すなわち、インナーロータ１６と第２シャッター部材１８は、互いの突当部６５、７５を突き合せることで記録再生ヘッド用窓部２０Ｂを閉塞するようになっている。なお、この突当部６５、７５は互いに上下に重ね合わせ可能なようにテーパー面に形成されることが好ましく、この方がケース１４内への塵埃の侵入を確実に阻止することができる。
【０１１２】
また、このとき、内周受け部６６、７６は、その側面が互いに当接することにより、環状に形成されている。そして、インナーロータ１６の係合突起６８は、第２シャッター部材１８のガイド孔７８の後端部側を貫通して下シェル２８の凹部５４（図３参照）に挿入されている。
【０１１３】
更に、図７（Ａ）に示すように、記録再生ヘッド用窓部２０Ｂの閉塞時には、カム突起２２Ｃが環状壁部６２の上面に支持されることにより、ディスク受け２２は上昇位置にあって切欠部６２Ａを閉塞する。そして、ディスク受け２２の下壁２２Ｂが、欠けている外周受け部６４の一部を補い、ディスクメディア１２の外周縁部を、外周受け部６４と共に支持する。
【０１１４】
したがって、図３及び図９に示すように、記録再生ヘッド用窓部２０Ｂの閉塞時には、ディスクメディア１２は、チャッキングエリア１２Ｃが内周受け部６６、７６により支持され、外周縁部が外周受け部６４及びディスク受け２２の下壁２２Ｂにより支持された状態で収容部５７内に収容される構成であり、これによって、記録面１２Ｂは完全に外部から遮断されることとなる。
【０１１５】
つまり、このディスクカートリッジ１０は、ディスク開口部３５が設けられていることにより、ディスクメディア１２の非記録面１２Ｄ側に塵埃等が付着することはあるが、不使用時には、インナーロータ１６及び第２シャッター部材１８によって記録再生ヘッド用窓部２０Ｂが閉塞されているので、記録面１２Ｂ側に塵埃等が付着することはなく、また水分等が侵入することはない。
【０１１６】
また、上シェル２６及びディスクメディア１２を取り付けた図１、図８（Ａ）で示すように、ディスクカートリッジ１０の不使用時（ディスクメディア１２の保存時）には、ディスク押さえ２４がディスクメディア１２の非記録面１２Ｄ側を押さえている。
【０１１７】
すなわち、押さえ部８０の左右先端が、ディスクメディア１２の非記録面１２Ｄ側におけるディスクメディア１２の外周縁部を押圧保持している。したがって、ディスクメディア１２はディスク開口部３５から脱落しないし、収容部５７内においてガタつくことがない。
【０１１８】
さて、このようなディスクカートリッジ１０をドライブ装置に装填して記録又は再生を行うが、ディスクカートリッジ１０はドライブ装置の装填口に装填されると、インナーロータ１６及び第２シャッター部材１８が回動して記録再生ヘッド用窓部２０Ｂが開放され、かつまた、位置決め孔４４Ａ、４６Ａに位置決めピン（図示省略）が挿入されて、ドライブ装置内での位置決めがなされる。
【０１１９】
すなわち、図３及び図１０に示すように、ドライブ装置の開閉部材（図示省略）が、シャッター操作窓５２の前端側から突出している操作突起７２に係合し、その操作突起７２をケース１４の後方に向かって移動させると、インナーロータ１６が、ハブ孔２０Ａを中心に内壁５０に沿って時計方向に回動し始め、突当部６５、７５及び内周受け部６６、７６の側面が互いに離間し始める。
【０１２０】
そして、図７で示すように、ディスク受け２２のカム突起２２Ｃが環状壁部６２のカム段部６２Ｃと係合し始め、ディスク受け２２がガイドピン５８（図３参照）に沿って下降し始める。このとき、図１０及び図１１に示すように、係合突起６８はガイド孔７８内を摺動し、第２シャッター部材１８がボス４４を中心に反時計方向へ回動し始める。
【０１２１】
また、このとき、凹部５４は少なくとも係合突起６８が出て行く摺動方向側が緩やかな傾斜面とされているので、インナーロータ１６の回動に伴って係合突起６８は凹部５４内からスムーズに外れて、下シェル２８の底板４０上を摺動し始める。つまり、ディスクメディア１２は、外周縁部が外周受け部６４に支持された状態で、第２シャッター部材１８の内周受け部７６がチャッキングエリア１２Ｃから離間する。
【０１２２】
ここで、係合突起６８は第２シャッター部材１８の板厚よりも高く形成されているので、インナーロータ１６の少なくとも係合突起６８付近は、その係合突起６８により、第２シャッター部材１８上及び下シェル２８の底板４０上から所定高さ上昇する。これにより、第２シャッター部材１８は、その内周受け部７６が記録面１２Ｂに接触することなく、反時計方向に回動可能となる。
【０１２３】
その後、更にインナーロータ１６が時計方向に回動し、それに伴って第２シャッター部材１８が反時計方向に回動することにより、記録再生ヘッド用窓部２０Ｂが開放され始める。そして、図１２に示すように、第２シャッター部材１８は、係合突起６８がガイド孔７８に形成された屈曲部７８Ａに到達した時点で、その反時計方向への回動が停止する。
【０１２４】
一方、インナーロータ１６は、図１３で示すように、第２シャッター部材１８の回動が停止した後も更に時計方向に回動し、それに伴って係合突起６８がガイド孔７８内を摺動する。そして、図１４で示すように、係合突起６８がガイド孔７８の前端部側に到達すると、記録再生ヘッド用窓部２０Ｂが完全に開放される。
【０１２５】
なお、このとき、操作突起７２は、シャッター操作窓５２の後端側に位置し、係合突起６８は、下シェル２８の凹部５５内に挿入される。この凹部５５も少なくとも係合突起６８が入って来る摺動方向側が緩やかな傾斜面とされているので、その係合突起６８はスムーズに凹部５５内に挿入される。
【０１２６】
また、これにより、インナーロータ１６（第１シャッター６０）は第２シャッター部材１８上及び下シェル２８の底板４０上に下降するが、このとき、すでにディスクメディア１２のセンター孔１２Ａ及びチャッキングエリア１２Ｃは、ハブ孔２０Ａから進入して来たドライブ装置の回転スピンドル軸とディスク開口部３５から進入してきたチャッキング部材によって保持（チャッキング）されて、ディスクメディア１２自体が回転許容位置まで上昇している（ディスクメディア１２の外周縁部が外周受け部６４から離間している）。したがって、ディスクメディア１２の記録面１２Ｂが、第２シャッター部材１８の内周受け部７６に接触することはない。
【０１２７】
また、このとき、図８（Ｂ）で示すように、環状壁部６２上に突設された凸部７０が、ディスク押さえ２４のアーム部８２の作用面に当接して、そのアーム部８２を上昇させている。つまり、ディスク押さえ２４を所定高さ上昇させて、押さえ部８０の先端をディスクメディア１２の非記録面１２Ｄ上から離間させている。したがって、ディスク押さえ２４がディスクメディア１２に干渉することはない。
【０１２８】
さらに、このディスク押さえ２４は、左右対称な平面視略三日月型形状に形成されているので、回転スピンドル軸に干渉することもない。すなわち、回転スピンドル軸がディスクメディア１２のセンター孔１２Ａ及びチャッキングエリア１２Ｃをチャッキング（保持）する際に、ディスク押さえ２４がそのチャッキング（保持）の妨げになるような不具合は起きない。
【０１２９】
何れにしても、こうして記録再生ヘッド用窓部２０Ｂが開放され、ディスク押さえ２４による押さえ（押圧保持）が解除されたディスクメディア１２は、回転スピンドル軸によって回転させられながら、記録再生ヘッド用窓部２０Ｂから進入して来たドライブ装置の記録再生ヘッドにより、記録層１５（図４参照）への情報の記録、又は記録層１５に記録された情報の再生が行われる。
【０１３０】
一方、ディスクカートリッジ１０をドライブ装置から取り出すときには、まず、図３に示す位置決め孔４４Ａ、４６Ａから位置決めピンが抜き出されて、ディスクカートリッジ１０のドライブ装置内での位置決めが解除される。そして、ドライブ装置の排出機構等（図示省略）によって、ディスクカートリッジ１０がドライブ装置の装填口から排出する方向への移動が始まる。
【０１３１】
すると、ドライブ装置の開閉部材が、シャッター操作窓５２の後端側から突出している操作突起７２をケース１４の前方に向かって移動させ、インナーロータ１６が、ハブ孔２０Ａを中心に内壁５０に沿って、図１４及び図１３における反時計方向に回動し始める。そして、ガイド孔７８の前端部側に位置していた係合突起６８が、ガイド孔７８に沿ってケース１４の後方側へ移動するとともに凹部５５（図３参照）から外れる。このとき、凹部５５の係合突起６８が出て行く摺動方向側は緩やかな傾斜面とされているので、係合突起６８はスムーズに凹部５５から外れる。
【０１３２】
そして、図１２及び図１１に示すように、インナーロータ１６が反時計方向に回動し、係合突起６８がガイド孔７８の屈曲部７８Ａを通過すると、第２シャッター部材１８が時計方向に回動し始める。このとき、既に回転スピンドル軸によるディスクメディア１２の保持（チャッキング）は解除されているが、係合突起６８は、凹部５５から外れて底板４０上を摺動しているので、インナーロータ１６の少なくとも係合突起６８付近は、所定高さ上昇している。したがって、第２シャッター部材１８の内周受け部７６が記録面１２Ｂに接触することはない。
【０１３３】
さらに、図１０に示すように、インナーロータ１６が反時計方向に回動し、第２シャッター部材１８が時計方向に回動することにより、記録再生ヘッド用窓部２０Ｂが閉塞されて行くが、これに伴って、図７に示すように、カム段部６２Ｃにカム突起２２Ｃが係合し始め、ディスク受け２２がガイドピン５８に沿って上昇し始める。
【０１３４】
そして、図９で示すように、突当部６５に突当部７５が当接し、内周受け部６６の側面に内周受け部７６の側面が当接することにより、記録再生ヘッド用窓部２０Ｂが閉塞され、かつ切欠部６２Ａがディスク受け２２によって閉塞される。
【０１３５】
なお、このとき、係合突起６８が凹部５４（図３参照）内に、その傾斜面によってスムーズに挿入され、インナーロータ１６が所定高さ下降する。つまり、ディスクメディア１２は、外周縁部が外周受け部６４及びディスク受け２２の下壁２２Ｂによって支持され、チャッキングエリア１２Ｃが内周受け部６６、７６によって支持される。これにより、再度記録面１２Ｂが外部から遮断された状態となり、記録面１２Ｂへの塵埃等の付着が防止された状態となる。
【０１３６】
こうして、記録再生ヘッド用窓部２０Ｂが閉塞され、操作突起７２がシャッター操作窓５２の前端側に位置すると（図１参照）、位置決め孔４４Ａ、４６Ａから位置決めピンが抜き出されて、ディスクカートリッジ１０のドライブ装置内での位置決めが解除される。そして、ドライブ装置の排出機構等（図示省略）によって、ディスクカートリッジ１０がドライブ装置の装填口から排出される。
【０１３７】
以上がディスクメディア１２をディスクカートリッジ１０ごとドライブ装置に装填する場合の作用であるが、ドライブ装置によっては、ディスクメディア１２のみを装填する場合もある。この場合には、ディスクカートリッジ１０からディスクメディア１２を取り出す。つまり、ユーザーがディスク押さえ２４をケース１４の後方へ向けて回動させ、ディスク開口部３５を完全に開放する。
【０１３８】
このとき、図８（Ｃ）に示すように、ディスク押さえ２４のアーム部８２の外面（上面）が切欠部３０Ａの後縁部に当接するまでディスク押さえ２４を回動させると、ディスク押さえ２４の位置（最大回動位置）が一時的に保持される。
【０１３９】
すなわち、ディスク押さえ２４が最大回動位置まで回動すると、一端（フック９０Ａ）が係止ピン３８に取り付けられ、他端（フック９０Ｂ）が係止ピン８８に取り付けられたコイルばね９０は、ディスク押さえ２４の回動に伴って、幅広に形成された切欠部３０Ｂ内に入り込み、軸部８６を下から上に越えるため、その付勢力は矢印Ｆ方向に働くようになる。
【０１４０】
したがって、ディスク押さえ２４は、その最大回動位置（開放位置）に一時的に保持可能となり、これによって、ディスク開口部３５からのディスクメディア１２の取り出しが容易にできる。
【０１４１】
また、ディスク押さえ２４を開放位置まで回動させると、ディスク押さえ２４の当接部１０４が柱状部１００に当接し柱状部１００を押圧して傾斜させ、検出孔９２の内周縁部とカバー部９４の外周縁部とを架け渡す薄肉部９６が折損する。これにより、カバー部９４によって塞がれていた検出孔９２が開放され、ディスクメディア１２を取出したという履歴が残ることとなる。
【０１４２】
なお、ディスクメディア１２を再度ケース１４内に収容する場合は、ディスク開口部３５からディスクメディア１２を挿入し、ディスク押さえ２４をケース１４の前方へ向けて回動させるが、このとき、ディスク押さえ２４をケース１４の前方へ向けて軽く押すことで、容易に回動させることができる。
【０１４３】
つまり、ディスク押さえ２４を軽く押すだけで、コイルばね９０が軸部８６を上から下へ簡単に越えるので、その付勢力は、すぐにディスク押さえ２４をディスクメディア１２側へ付勢するように働く。したがって、ディスク押さえ２４は、再度ディスクメディア１２を保持することが容易に可能となり、これによって、ディスクメディア１２のディスク開口部３５からの脱落及び収容部５７内でのガタつきが再度防止された状態となる。
【０１４４】
次に、本形態に係るディスクカートリッジの要旨について説明する。
【０１４５】
図８（Ａ）に示すように、下シェル２８に検出孔９２を貫通させ、この検出孔９２内には、中央部に柱状部１００が立設したカバー部９４を配置し、検出孔９２の内周縁部とカバー部９４の外周縁部とを、複数の薄肉部９６で架け渡している。また、ディスク押さえ２４の押さえ部８０の先端部がディスクメディア１２の非記録面１２Ｄを押さえた状態で、下シェル２８に設けられた柱状部１００の後部側に位置し、柱状部１００の立設方向に沿って、当接部１０４をアーム部８４の内面（下面）から垂下させている。
【０１４６】
これにより、図８（Ｃ）に示すように、ディスク押さえ２４をケース１４の後方へ向けて回動させると、当接部１０４が柱状部１００に当接する。この状態でディスク押さえ２４をさらに開放位置まで回動させると、当接部１０４は柱状部１００を押圧して傾斜させる。このとき、薄肉部９６が折損し、カバー部９４が上方へ持ち上げられ、カバー部９４によって塞がれていた検出孔９２が開放される。
【０１４７】
このように、ディスク押さえ２４を開放位置まで回動させると、検出孔９２を開放することで、検出孔９２が開放されているか否かによって、ディスクメディア１２をケース１４から取り出したことがあるか否か（取出し履歴）が判断できる。すなわち、検出孔９２がカバー部９４によって塞がれていれば、ディスクメディア１２をケース１４から取り出したことはないと判断され、検出孔９２が開放されていれば、ディスクメディア１２をケース１４から取り出したことがあると判断される。
【０１４８】
ディスクメディア１２はケース１４内に収納された状態で、ディスクメディアの記録／再生履歴などの品質が維持されるため、ディスクメディア１２をケース１４から取り出した場合、ディスクメディア１２の品質は維持されない可能性がある。このため、ディスクメディア１２をケース１４から取り出したことがあるか否かによって、ディスクメディア１２の品質の保証も異なってくる。
【０１４９】
ここで、ディスクメディア１２の取出し時に、ユーザ自らが検出孔９２を開放することで、ディスクメディア１２をケース１４から取り出したことがあるか否かを判断する（取出し履歴）こともできるが、ユーザが意識的に検出孔９２を開放しない、或いは検出孔９２を開放するつもりが忘れたなどのミスケースが予測され、ディスクメディア１２の取出し履歴が正確に為されない懸念がある。
【０１５０】
このため、ディスク押さえ２４を開放位置まで回動させると、柱状部１００を傾斜させ、薄肉部９６を折損させるというように、ディスクメディア１２をケース１４から取出す動作に連動して自動的に薄肉部９６を破損（非可逆的に変形）させることで、上記のような懸念が生じることはない。
【０１５１】
また、薄肉部９６を破損させることで、薄肉部９６を元の状態に戻すことができないようにしている。これにより、実際にはディスクメディア１２をケース１４から取り出したにも拘らず、取出し履歴をごまかしたりすることができないようにしている。ここで、薄肉部９６の根元部に切欠き部９８を設けることで、薄肉部９６を更に折損し易くして、検出孔９２を通じてカバー部９４をケース１４から確実に取り除くことができるようにしている。
【０１５２】
一方、下シェル２８の外周壁４２に取出し孔１０２を設け、カバー部９４及び柱状部１００が下シェル２８から完全に分離した後、取出し孔１０２を通じて、カバー部９４及び柱状部１００をケース１４から取出すことができるようにしている。これにより、カバー部９４が誤って検出孔９２を再度塞ぐことがないようにしている。また、取出し孔１０２を検出孔９２と異なる面に設けることで、例えば、ドライブ装置によってディスクメディア１２の取出し履歴を識別する上で誤動作が生じる危険性が少ない。
【０１５３】
なお、ここでは、柱状部１００の後部側に、柱状部１００の突出方向に沿って当接部１０４をアーム部８４の内面（下面）から垂下させ、これにより、ディスク押さえ２４を回動させると、当接部１０４が柱状部１００に当接し柱状部１００を押圧して傾斜させ、薄肉部９６を折損させるようにしたが、ディスクメディア１２をケース１４から取り出したことがあるか否かを判断する（取出し履歴）ことができれば良いため、これに限るものではない。
【０１５４】
例えば、図１５に示すように、ディスク押さえ２４の押さえ部８０の先端部がディスクメディア１２の非記録面１２Ｄを押さえた状態で、柱状部１０６の延長線上に位置するアーム部８４の内面（下面）から略円柱状の係合突起１０８を突出させる。この係合突起１０８の中央部に、柱状部１０６の先端部が係合可能な係合凹部１０８Ａを設け、押さえ部８０の先端部がディスクメディア１２の非記録面１２Ｄを押さえた状態で、柱状部１０６の先端部が係合凹部１０８Ａに圧入保持されるようにする。
【０１５５】
また、柱状部１０６の先端部にはカバー部１０７を一体に設ける。この場合、カバー部１０７及び柱状部１０６と下シェル２８とを独立させることで、カバー部１０７と検出孔９２とは薄肉部で架け渡されることはなく、検出孔９２内に単にカバー部１０７が配置されるのみとなる。
【０１５６】
この状態で、ディスク押さえ２４をケース１４の後方へ向けて回動させると、カバー部１０７は検出孔９２の内周縁部に当接するが、ディスク押さえ２４を開放位置まで回動させると、柱状部１１２とディスク押さえ２４の係合凹部１０８Ａとの圧入状態が解除され、柱状部１１２が係合凹部１０８Ａから外れるようにする。
【０１５７】
ここで、検出孔９２とカバー部１０７を架け渡す薄肉部は存在しないため、薄肉部を折損させる必要がない。このため、ディスク押さえ２４を開放位置まで回動させ、ディスク押さえ２４の係合凹部１０８Ａに圧入保持された柱状部１１２を容易に係合凹部１０８Ａから分離させると、カバー部１０７及び柱状部１１２が検出孔９２を通じて容易に抜け落ちることとなる。従って、カバー部１０７及び柱状部１１２を確実かつ容易にケース１４から分離または除去することができ、検出孔９２はきれいに開放され、検出孔９２が再度塞がれる恐れはない。
【０１５８】
また、例えば、図１６に示すように、カバー部１１０及び柱状部１１２をディスク押さえ２４と一体に成形する。この場合、カバー部１１０及び柱状部１１２と下シェル２８とは独立した状態となるため、カバー部１１０と検出孔９２とは薄肉部で架け渡されることはなく、検出孔９２内に単にカバー部１１０が配置されるのみとなる。
【０１５９】
ここで、柱状部１１２の基部に切欠き部１１４を設け、カバー部１１０と柱状部１１２とを破断し易くしておく。ディスク押さえ２４をケース１４の後方へ向けて回動させるときに、カバー部１１０は検出孔９２の内周縁部に当接するが、ディスク押さえ２４を開放位置まで回動させると、柱状部１１２の基部が破断するようにする。これにより、カバー部１１０は検出孔９２から抜け落ちることとなり、検出孔９２を開放することができる。
【０１６０】
また、上記の本実施形態では、検出孔９２が開放された状態か否かが目視でも判断できるが、この検出孔９２をいわゆるセンサーホールとして、ドライブ装置に装填した状態で、ドライブ装置に設けられた光センサなどを検出孔９２へ通過させるようにすることで自動的に検出孔９２が開放されているか否かを判断するようにしても良い。
【０１６１】
さらに、上記の実施形態では、異形のシャッター部材１８及びインナーロータ１６を互いに異なる方向に移動させて記録再生ヘッド用窓部２０Ｂを開閉するようにしたが、シャッター部材或いはインナーロータの形状や駆動機構等は本実施形態に限定されるものではない。例えば、一対のシャッター部材をインナーロータに支持させ、該インナーロータの回動に伴って互いに平行に移動しつつ開口を開閉する構成としても良い。
【０１６２】
さらに、上記の実施形態では、ディスクメディア１２の直径が略１２０ｍｍである構成としたが、本発明はこれに限定されず、如何なる寸法のディスクメディア１２を備えるディスクカートリッジ１０についても本発明が適用可能であることは言うまでもない。
【図面の簡単な説明】
【０１６３】
【図１】本発明の実施形態に係るディスクカートリッジの外観を示す概略平面図である。
【図２】本発明の実施形態に係るディスクカートリッジのディスクメディアを除いた状態の斜視図である。
【図３】本発明の実施形態に係るディスクカートリッジの構成を示す分解斜視図である。
【図４】ディスクメディアの構成を示す断面図である。
【図５】本発明の実施形態に係るディスクカートリッジのディスク押さえの構成を示す分解斜視図である。
【図６】本発明の実施形態に係るディスクカートリッジの要部を示す拡大斜視図である。
【図７】（Ａ）〜（Ｄ）は、本発明の実施形態に係るディスクカートリッジに設けられたディスク受けの動作説明図である。
【図８】（Ａ）〜（Ｃ）は、本発明の実施形態に係るディスクカートリッジに設けられたディスク押さえの動作説明図である。
【図９】本発明の実施形態に係るディスクカートリッジを構成する第１シャッター部材及び第２シャッター部材の動作説明図である。
【図１０】本発明の実施形態に係るディスクカートリッジを構成する第１シャッター部材及び第２シャッター部材の動作説明図である。
【図１１】本発明の実施形態に係るディスクカートリッジを構成する第１シャッター部材及び第２シャッター部材の動作説明図である。
【図１２】本発明の実施形態に係るディスクカートリッジを構成する第１シャッター部材及び第２シャッター部材の動作説明図である。
【図１３】本発明の実施形態に係るディスクカートリッジを構成する第１シャッター部材及び第２シャッター部材の動作説明図である。
【図１４】本発明の実施形態に係るディスクカートリッジを構成する第１シャッター部材及び第２シャッター部材の動作説明図である。
【図１５】（Ａ）、（Ｂ）は、本発明の実施形態に係るディスクカートリッジの変形例を示すディスク押さえの動作説明図である。
【図１６】（Ａ）、（Ｂ）は、本発明の実施形態に係るディスクカートリッジの他の変形例を示すディスク押さえの動作説明図である。
【符号の説明】
【０１６４】
１０    ディスクカートリッジ
１２    ディスクメディア
１４    ケース
１６    インナーロータ（第１シャッター、シャッター機構）
１８    第２シャッター部材（第２シャッター、シャッター機構）
２０    開口（ヘッド開口部）
２６    上シェル（ケース）
２８    下シェル（ケース）
９２    検出孔（ディスク取出し履歴検出手段）
９４    カバー部（第１カバー部、封止部材、ディスク取出し履歴検出手段）
９６    薄肉部（封止部材、ディスク取出し履歴検出手段）
９８    切欠き部
１００  柱状部（第１柱状部、封止部材、ディスク取出し履歴検出手段）
１０２  取出し孔
１０６  柱状部（第３柱状部、封止部材、ディスク取出し履歴検出手段）
１０７  カバー部（第３カバー部、封止部材、ディスク取出し履歴検出手段）
１１０  カバー部（第２カバー部、封止部材、ディスク取出し履歴検出手段）
１１２  柱状部（第２柱状部、封止部材、ディスク取出し履歴検出手段）
【図１】
2005276338.tif 000003
【図２】
2005276338.tif 000004
【図３】
2005276338.tif 000005
【図４】
2005276338.tif 000006
【図５】
2005276338.tif 000007
【図６】
2005276338.tif 000008
【図７】
2005276338.tif 000009
【図８】
2005276338.tif 000010
【図９】
2005276338.tif 000011
【図１０】
2005276338.tif 000012
【図１１】
2005276338.tif 000013
【図１２】
2005276338.tif 000014
【図１３】
2005276338.tif 000015
【図１４】
2005276338.tif 000016
【図１５】
2005276338.tif 000017
【図１６】
2005276338.tif 000018